(57)【要約】  【課題】  開封することなく、少なくとも１オーダ分の写真プリントの料金および１オーダ分の写真プリントの中身を確認することができる写真パックおよびプリントシステムを提供する。  【解決手段】  本発明の写真パックは、１オーダ分の写真プリントと、１オーダ分のインデックスプリントと、少なくとも１オーダ分の写真プリントの料金が記録されたオーダープリントと、インデックスプリント、オーダープリントおよび１オーダ分の写真プリントを積層してなる積層体を収納する少なくとも一部が透明な袋とを有する。この積層体は、インデックスプリントの画像記録面を外側に、オーダープリントの料金記録面を外側にして、インデックスプリントとオーダープリントとで１オーダ分の写真プリントを挟み込んだものである。【選択図】  図１
2006171417.tif 000002
【特許請求の範囲】
【請求項１】
１オーダ分の写真プリントと、
前記１オーダ分のインデックスプリントと、
少なくとも前記１オーダ分の写真プリントの料金が記録されたオーダープリントと、
前記インデックスプリント、前記オーダープリントおよび前記１オーダ分の写真プリントを積層してなる積層体を収納する少なくとも一部が透明な袋とを有し、
前記積層体が、前記インデックスプリントの画像記録面を外側に、前記オーダープリントの料金記録面を外側にして、前記インデックスプリントと前記オーダープリントとで前記１オーダ分の写真プリントを挟み込んだものであることを特徴とする写真パック。
【請求項２】
さらに、前記オーダープリントには、少なくとも顧客の情報および注文内容が記録されている請求項１に記載の写真パック。
【請求項３】
前記１オーダ分の写真プリントの料金は、バーコードで記録されている請求項１または２に記載の写真パック。
【請求項４】
プリント注文の内容に関する注文情報データを含む顧客の１オーダ分の注文を受け付ける受付手段と、
前記顧客の１オーダ分の注文に基づいて、前記１オーダ分の写真プリントの料金を計算する料金計算手段と、
前記受付手段が受けた前記注文情報データに基づいて、前記１オーダ分の写真プリント、前記１オーダ分のインデックスプリント、ならびに少なくとも前記１オーダ分の写真プリントの料金が記録されたオーダープリントを作製するプリンタと、
前記インデックスプリントの画像記録面を外側に、前記オーダープリントの料金記録面を外側にして、前記インデックスプリントと前記オーダープリントとで前記１オーダ分の写真プリントを挟み込んで積層してなる積層体を少なくとも一部が透明な袋に梱包する梱包手段とを有することを特徴とするプリントシステム。
【請求項５】
前記プリンタは、記録媒体の片面に画像を記録する画像記録部と、前記記録媒体の表裏を反転するスイッチバック部とを備え、前記インデックスプリントまたは前記オーダープリントを表裏反転させるものである請求項４に記載のプリントシステム。
【請求項６】
前記プリンタは、記録媒体の一方の面に画像を記録する第１の画像記録部、および前記記録媒体の他方の面に画像を記録する第２の画像記録部を備え、前記インデックスプリントまたは前記オーダープリントは互いに異なる画像記録部でインデックスプリントの画像記録面および前記オーダープリントの料金記録面を記録する請求項４に記載のプリントシステム。
【発明の詳細な説明】
【技術分野】
【０００１】
本発明は、開封することなく、少なくとも１オーダ分の写真プリントの料金および１オーダ分の写真プリントの中身の確認ができる写真パック、およびこの写真パックを作製するプリントシステムに関する。
【背景技術】
【０００２】
従来、写真プリントと、写真プリントのすべての画像が１枚の記録媒体に記録されたインデックスプリントとは、ソータへ集積された後に、オペレータの手作業でＤＰ袋へ袋詰めされている（例えば、特許文献１参照）。
【０００３】
特許文献１には、１オーダ分の写真プリントを焼付けた後に、写真プリントよりも大きいサイズのインデックスプリントを連続して焼付けて集積部に集積することにより、１オーダ分の仕分けができ、ＤＰ袋への袋詰め作業が容易になる写真プリントの集積方法が開示されている。
【０００４】
しかし、オペレータによる手作業での写真プリントのＤＰ袋へ袋詰め作業は、手間がかかる。そこで、オペレータによるＤＰ袋への袋詰め作業を省略化するためにパッカーが提案されている（例えば、特許文献２参照）。
ここで、パッカーとは、ソータへ集積された写真プリントおよびインデックスプリントをまとめて透明な袋に入れ込み、シールするものである。この場合、最上部には、バーコード付の注文プリントが載置されており、支払いが容易に行えるようになっている。
【０００５】
特許文献２には、写真プリントの直前、直後に、料金が記録された記録媒体（以下、料金プリントという）を配し、ソータ上で料金プリントが写真プリントの上になるように配置される写真製品生産システムが開示されている。特許文献２の写真製品生産システムは、料金プリントが写真プリントの一番上に置かれた状態で、上面が透明な写真袋に料金プリントが外から見えるように収容されている。
【０００６】
【特許文献１】特開平９−２６６６０号公報
【特許文献２】特許第３５５１４０２号公報
【発明の開示】
【発明が解決しようとする課題】
【０００７】
しかしながら、顧客が仕上がった写真プリントを受け取った場合、顧客は、写真プリントが自分のものであるか否かを確認するために中身の照合を行う。この照合は、写真プリントを１枚ずつめくって見ることによりなされる。このため、特許文献２の写真製品生産システムにおいては、料金プリントが最上部に置かれているので、写真袋を開封しなければ、中身の写真プリントを確認することができず、結果的に写真プリントの照合が行えないという問題点がある。
【０００８】
本発明の目的は、前記従来技術の問題点を解決することにあり、開封することなく、少なくとも１オーダ分の写真プリントの料金および１オーダ分の写真プリントの中身を確認することができる写真パックおよびプリントシステムを提供することにある。
【課題を解決するための手段】
【０００９】
上記目的を達成するために、本発明の第１の態様は、１オーダ分の写真プリントと、前記１オーダ分のインデックスプリントと、少なくとも前記１オーダ分の写真プリントの料金が記録されたオーダープリントと、前記インデックスプリント、前記オーダープリントおよび前記１オーダ分の写真プリントを積層してなる積層体を収納する少なくとも一部が透明な袋とを有し、前記積層体が、前記インデックスプリントの画像記録面を外側に、前記オーダープリントの料金記録面を外側にして、前記インデックスプリントと前記オーダープリントとで前記１オーダ分の写真プリントを挟み込んだものであることを特徴とする写真パックを提供するものである。
【００１０】
本発明においては、さらに、前記オーダープリントには、少なくとも顧客の情報および注文内容が記録されていることが好ましい。
また、本発明においては、前記１オーダ分の写真プリントの料金は、バーコードで記録されていることが好ましい。
【００１１】
また、本発明の第２の態様は、プリント注文の内容に関する注文情報データを含む顧客の１オーダ分の注文を受け付ける受付手段と、前記顧客の１オーダ分の注文に基づいて、前記１オーダ分の写真プリントの料金を計算する料金計算手段と、前記受付手段が受けた前記注文情報データに基づいて、前記１オーダ分の写真プリント、前記１オーダ分のインデックスプリント、ならびに少なくとも前記１オーダ分の写真プリントの料金が記録されたオーダープリントを作製するプリンタと、前記インデックスプリントの画像記録面を外側に、前記オーダープリントの料金記録面を外側にして、前記インデックスプリントと前記オーダープリントとで前記１オーダ分の写真プリントを挟み込んで積層してなる積層体を少なくとも一部が透明な袋に梱包する梱包手段とを有することを特徴とするプリントシステムを提供するものである。
【００１２】
本発明においては、前記プリンタは、記録媒体の片面に画像を記録する画像記録部と、前記記録媒体の表裏を反転するスイッチバック部とを備え、前記インデックスプリントまたは前記オーダープリントを表裏反転させるものであることが好ましい。
【００１３】
また、本発明においては、前記プリンタは、記録媒体の一方の面に画像を記録する第１の画像記録部、および前記記録媒体の他方の面に画像を記録する第２の画像記録部を備え、前記インデックスプリントまたは前記オーダープリントは互いに異なる画像記録部でインデックスプリントの画像記録面および前記オーダープリントの料金記録面を記録するものであることが好ましい。
【発明の効果】
【００１４】
本発明の第１の態様の写真パックによれば、インデックスプリントの画像記録面を外側に、オーダープリントの料金記録面を外側にして、インデックスプリントとオーダープリントとで１オーダ分の写真プリントを挟み込んだ積層体を少なくとも一部が透明な袋に収納することにより、インデックスプリントの画像記録面および少なくとも前記１オーダ分の写真プリントの料金が記録されたオーダープリントの料金記録面を袋の外から識別することができる。これにより、透明な袋を開封することなく、１オーダ分の写真プリントの料金、さらには写真プリントの中身を確認することができる。
【００１５】
また、本発明の第２の態様のプリントシステムによれば、顧客の１オーダ分の注文に基づいて、インデックスプリントの画像記録面を外側に、オーダープリントの料金記録面を外側にして、インデックスプリントとオーダープリントとで１オーダ分の写真プリントを挟み込んだ積層体を少なくとも一部が透明な袋に収納された写真パックを作製することができる。これにより、インデックスプリントの画像記録面およびおよび少なくとも前記１オーダ分の写真プリントの料金が記録されたオーダープリントの料金記録面を袋の外から識別することができる。これにより、透明な袋を開封することなく、１オーダ分の写真プリントの料金、さらには写真プリントの中身を確認することができる。
【発明を実施するための最良の形態】
【００１６】
以下に、添付の図面に示す好適実施形態に基づいて、本発明の写真パックおよびプリントシステムを詳細に説明する。
図１は、本発明の写真パックを作製するプリントシステムを示す模式図である。
図１に示すように、プリントシステム１０は、例えば、受付機（受付手段）１２ａ、１２ｂ、オーダーコントローラ１４、片面画像形成装置１６、両面画像形成装置１８、および決済機２０を有する。
【００１７】
受付機１２ａ、１２ｂは、ラボ店の店頭、例えば、カウンタ上に設置され、顧客の注文を受け付けるために、オペレータが注文内容、注文事項等の注文情報データを入力して受付・登録するためのものであり、通常、モニタ表示画面を備えたパーソナルコンピュータ（ＰＣ）で構成される。
また、受付機１２ａ、１２ｂは、顧客の注文と同時に、例えば、プリントする画像の画像データも受け付ける。なお、画像データは、記録媒体の片面に記録されるものに限定されるものではなく、記録媒体の両面に画像が形成されるものであってもよい。
【００１８】
この受付機１２ａ、１２ｂにおいては、注文情報データが入力されて注文が確定されると、例えば、受付番号を注文情報データに付与するとともに、受付日時も記録する。また、注文情報データを照合し、以前に入力された顧客である場合には、予め付与されている顧客ＩＤを付与する。一方、以前に入力された顧客でない場合には、顧客ＩＤを新たに付与する。このように、受付機１２ａ、１２ｂにおいては、注文情報データに受付番号、受付日時、および顧客ＩＤを付与して、プリント注文された画像データとともにオーダーコントローラ１４に出力する。
【００１９】
また、受付機１２ａ、１２ｂは、顧客自身が、簡単な注文を受付・登録するためのものでもよく、通常、モニタ表示画面を備えたパーソナルコンピュータ（ＰＣ）で構成される。受付機１２ａ、１２ｂを構成するＰＣは、モニタ（ディスプレイ）に加え、キーボードおよびマウスなどの入力デバイス、注文情報、ならびにソフトウエアなどを一時的に記憶しておくメモリまたは記憶装置（ＨＤＤ）などを備えていて良いのはもちろんであり、注文が確定した場合に発行される引換券をプリントするプリンタが設けられている。さらには、メモリカード、ＣＤ、ＭＯ、またはＦＤなどのメディアから画像データなどを読み出すためのメディアドライブを備えていても良い。
また、受付機１２ａ、１２ｂが設けられているカウンタなどで、撮影済みのフイルムを受け取ってもよい。この撮影済みのフイルムを現像し、現像済みのフイルムをフイルムスキャナーで読み取り、画像データを作製してもよい。
【００２０】
なお、受付機１２ａ、１２ｂの設置場所は、特に限定されるものではない。また、インターネットなどのネットワーク経由により受付機１２ａ、１２ｂにアクセス可能としてもよい。また、引換券の形態は、特に限定されるものではなく、受け取り可能な日時などが記録されていれば良い。
【００２１】
本実施例において、受付機１２ａ、１２ｂに入力される注文情報データは、例えば、顧客の氏名、顧客の電話番号、および顧客の住所などの顧客情報である。加えて、注文情報データは、プリントの種類、サイズおよび枚数、プリントする画像の仕上がり、ならびに飾りプリントの有無などのプリント処理内容（注文内容）を含むものである。
【００２２】
オーダーコントローラ１４は、受付機１２ａ、１２ｂに入力される注文情報データおよび画像データを管理するものである。また、オーダーコントローラ１４は、画像処理部（図示せず）を備え、プリントする画像の画像データをプリント用画像データに変換を行うものでもある。
【００２３】
さらに、オーダーコントローラ１４は、注文情報データに基づいて料金情報を編集するものであり、本発明の料金計算手段を兼ねるものである。また、オーダーコントローラ１４は、後述するように決済機２０に１オーダ分の料金データを出力するものでもある。
オーダーコントローラ１４は、例えば、プリント１枚の料金、画像修正の料金、飾りプリントの料金、または特別な記録媒体を使用した場合の料金などのプリント処理内容に関する料金が記憶されている価格データベース（図示せず）を有する。このオーダーコントローラ１４は、価格データベース（図示せず）を参照して、料金情報に基づいて、料金を計算する。この料金データは、例えば、注文情報データとして管理される。
【００２４】
また、オーダーコントローラ１４は、注文情報データに基づいて、プリントシステム１０に接続されている片面プリント可能な片面プリンタ、または両面プリント可能な両面プリンタに１オーダ分の画像データを送信する。すなわち、１オーダ分の注文に応じたジョブの振り分け制御を行う。
【００２５】
また、オーダーコントローラ１４は、画像処理部により、プリント用画像データから１オーダ分の各画像が縮小されてまとめて記録されるインデックス用画像データが作製され、さらに、注文情報データおよび料金データに基づいて、オーダープリントのフォーマットに則ったオーダープリント用画像データが作製される。このように、オーダーコントローラ１４においては、プリント用画像データ、インデックス用画像データおよびオーダープリント用画像データは１つにまとめられて１件分のプリントオーダ情報とされる。このプリントオーダ情報データを片面画像形成装置１６または両面画像形成装置１８に出力する。
【００２６】
なお、本実施例においては、後述するように写真パックの構成（図５（ｂ）参照）上、インデックスプリント、写真プリントおよびオーダープリントの順、またはオーダープリント、写真プリントおよびインデックスプリントの順で画像を形成することが好ましい。このため、プリントオーダ情報においては、これらのプリント順も決定されている。
また、両面画像形成装置１８にプリントオーダ情報を出力する場合には、写真プリント、インデックスプリント、およびオーダープリントが記録媒体の両面のうち、いずれかの面に記録されるかも決定されている。
【００２７】
片面画像形成装置１６および両面画像形成装置１８は、オーダーコントローラ１４からプリントオーダ情報データが入力され、プリントオーダ情報データに基づいて、１オーダ分の写真プリント（図５（ａ）参照）、インデックスプリント（図６（ａ）参照）およびオーダープリント（図６（ｂ）参照）を作製し、さらには写真プリント、インデックスプリントおよびオーダープリントが積層されてなる積層体Ｓ（図５（ａ）参照）をまとめて少なくとも一部が透明な袋に梱包するものである。
【００２８】
片面画像形成装置１６は、記録媒体の一方の面に画像を形成することができる片面プリンタ３０と、片面プリンタ３０により作製された写真プリント、インデックスプリント、およびオーダープリントを、積層体Ｓとして、少なくとも一部が透明な袋に梱包するパッカー（梱包手段）３２とを有する。これらの片面プリンタ３０およびパッカー３２については、後で詳細に説明する。
【００２９】
両面画像形成装置１８は、記録媒体の両方の面に画像を形成することができる両面プリンタ３４と、両面プリンタ３４により形成された写真プリント、インデックスプリント、およびオーダープリントを、積層体Ｓとして、少なくとも一部が透明な袋に梱包するパッカー（梱包手段）３６とを有する。これらの両面プリンタ３４およびパッカー３６については、後で詳細に説明する。
【００３０】
決済機２０は、１オーダ分毎の写真プリントの料金を清算するものであり、例えば、ラボ店内に受付機１２ａ、１２ｂとは、別のところに設けられているものである。
本実施例においては、例えば、決済機２０が設置されているところで、写真パック１１４の引渡しが、例えば、引換券を用いて行われる。オーダープリントに記録されている１オーダ分の写真プリントの料金を見て、料金が支払われる。
また、オーダープリントに、１オーダ分の写真プリントの料金に対応付けられたバーコード（図６（ｂ）参照）が記録されている場合には、バーコードを読み取り料金を精算するようにしてもよい。受付機１２ａ、１２ｂから出力された料金データに基づいて、決済機２０により、写真パック１１４の料金の精算が行われる。
【００３１】
以下、片面画像形成装置１６について、図２〜図４を参照して詳細に説明する。
図２は、本発明の実施例に係る写真パックを作製する片面画像形成装置を示す模式的断面図であり、図３は、本実施例の片面画像形成装置のスイッチバック部を示す模式図である。図４（ａ）は、本実施例の片面画像形成装置のパッカーを示す模式図であり、（ｂ）は、本実施例のパッカーに用いられる梱包用シートを示す模式図である。
【００３２】
図２に示すように、片面画像形成装置１６の片面プリンタ３０は、光ビーム走査露光を利用して感光材料を露光記録する記録装置であり、例えば、ロール状に巻き回された長尺状の感光材料Ａから所定の長さだけ引き出されてカットされたカットシート状の感光材料（以下、シート体ともいう）Ａを露光位置ｒに搬送し、オーダーコントローラ１４から供給されたプリンタ用画像データに応じて変調した光ビームＬを主走査方向に偏向するとともに、主走査方向と直交する副走査方向に感光材料Ａを走査搬送することにより、光ビームＬによって感光材料Ａを走査露光して画像を形成するものである。また、感光材料Ａは、片側の面にだけ感光層が形成されたものである。
【００３３】
この片面プリンタ３０は、片面プリンタ部４０および、片面プリンタ部４０に隣接して露光済みの感光材料Ａを現像するプロセサ６０を有する。
片面画像形成装置１６は、この片面画像形成装置１６の全体の動作を制御する制御部５０が設けられている。
【００３４】
片面プリンタ部４０は、搬送方向上流側から、供給部４２、裏印字部４８、露光ユニット５２、振分部（図示せず）および搬出部５６を有し、これらの各部位には、ローラまたは駆動ローラと、この駆動ローラと対をなすニップローラとからなるローラ対５４、５６が搬送路に沿って複数個設けられている。
【００３５】
供給部４２は、感光材料Ａ（シート体）を供給するものであり、例えば、記録面を外側にしてロール状に巻き回された長尺な感光材料Ａが遮光性を有する筐体に収納されたマガジン４２ａ、４２ｂが装填される部位である。
マガジン４２ａ、４２ｂには、通常、感光材料Ａのサイズ（幅）、シルクおよびマット等の感光面の種類、ならびに仕様（厚さおよびベースの種類）等、互いに種類の異なる感光材料Ａが収納される。本実施例では、マガジン４２ａ、４２ｂを２個設けているが、本発明においては、マガジンの数は、特に限定されるものではない。本発明においては、マガジンは、１個でもよく、また、３個以上であってもよい。
【００３６】
マガジン４２ａ、４２ｂには、内部に収納された感光材料Ａを引き出して搬送するための引出ローラ対４４が設けられている。
また、マガジン４２ａ、４２ｂの出口から所定の長さ離間した位置にカッタ４６が設けられている。
引出ローラ対４４は、カッタ４６で所定の長さのシート体とするためにプリント長さに応じて感光材料Ａを所定の長さだけ引き出した後、引き出しを停止する。
【００３７】
カッタ４６は、片面画像形成装置１６の制御部５０から送られてきた制御信号に基づいて、各マガジン４２ａ、４２ｂから引き出された感光材料Ａを裁断するものであり、制御部５０によりカッタ４６の感光材料Ａの切り出し間隔が調整される。このカッタ４６により所定長さにカットされたシート体は、裏印字部４８に送られる。なお、本実施例においては、供給部４２は長尺な感光材料Ａを切断してシート体を供給するものに限定されるものではなく、予め所定の大きさに形成されたシート体を供給するようにしてもよい。また、カッタは各マガジン毎に１ヶずつ配置してもよい。
【００３８】
裏印字部４８は、シート体の非記録面（非乳剤面＝裏面）に写真の撮影日、プリント焼付日、コマ番号、フイルムＩＤ番号（符号）、撮影に使用したカメラのＩＤ番号、フォトプリンタのＩＤ番号等の各種情報、いわゆるバックプリントを制御部５０からの制御信号に基づいて、記録（裏印字）するものであり、シート体を搬送する搬送ローラ対と、裏印字ヘッド（図示せず）とを有する。
【００３９】
シート体は、ローラおよびローラ対によって上方に搬送されながら、その非記録面に裏印字ヘッド４０によってバックプリントが記録される。裏印字部４８としては、インクジェットヘッド、ドットインパクトプリントヘッドまたは熱転写プリントヘッド等公知のプリントヘッドが用いられる。
【００４０】
露光ユニット５２は、例えば、レーザビーム等の光ビームを記録光として用いる公知の光ビーム走査装置であって、シート体の赤（Ｒ）露光、緑（Ｇ）露光および青（Ｂ）露光のそれぞれに対応する光ビームＬを射出する光源、およびこの光源から射出された光ビームＬを、オーダーコントローラ１４から供給される画像処理後のプリンタ用画像データに応じて変調するＡＯＭ（音響光学変調器）等の変調手段、変調された光ビームＬを、搬送方向と直交する方向（主走査方向）に偏向するポリゴンミラー等の光偏向器、主走査方向に偏向された光ビームＬを露光位置ｒ上の所定位置に所定のビーム径で結像させるｆθ（走査）レンズ光路調整用のミラー等を有して構成される。
【００４１】
また、ＰＤＰ（プラズマディスプレイ）アレイ、ＥＬＤ（エレクトロルミネセントディスプレイ）アレイ、ＬＥＤ（発光ダイオード）アレイ、ＬＣＤ（液晶ディスプレイ）アレイ、ＤＭＤ（デジタルマイクロミラーデバイス、登録商標）アレイおよびレーザアレイ等の搬送方向と直交する主走査方向に延在する各種の発光アレイまたは空間変調素子アレイ等を用いるデジタルの露光手段でもよい。
なお、露光ユニット５２の露光位置ｒで行う光ビームＬの主走査の幅は、シート体の幅に対応するように設定される。露光ユニット５２の上記動作は、制御部５０からの制御信号によって制御される。
【００４２】
記録光である光ビームＬは主走査方向（図２では、紙面に垂直方向）に偏向され、一方、シート体は副走査ローラ対によって搬送されるので、画像データに応じて変調されている光ビームＬによってシート体は２次元的に走査露光され、画像が記録される。
なお、シート体の搬送方向と直交する主走査方向に走査記録を行うことにより搬送中のシート体に画像を記録する構成であれば、その構成は、特に限定されるものではない。
搬出部３２は、光ビームＬによって２次元的に走査露光されたシート体を搬送するものである。
【００４３】
搬出部３２の下流側には、プロセサ６０が設けられている。このプロセサ６０は、露光済みの潜像の記録されたシート体（感光材料）に、所定の現像処理および乾燥処理等を施して、シート体をフイルムに撮影された画像が再生されたプリントとするものである。また、プロセサ６０には、シート体を搬送する複数の搬送ローラ対６６が設けられている。
【００４４】
図２に示すように、プロセサ６０は現像処理部６２と、乾燥処理部７０とを有し、シート体が現像処理されて乾燥されて写真プリントとなる。
図２に示すように、現像処理部６２においては、シート体の搬送方向上流側から順に、現像槽６４ａ、定着漂白槽６４ｂ、第１水洗槽６４ｃ、第２水洗槽６４ｄ、第３水洗槽６４ｅおよび第４水洗槽６４ｆが水平方向に設けられている。乾燥処理部７０は、第４水洗槽６４ｆの下流側に設けられている。
現像槽６４ａ、定着漂白槽６４ｂ、および第１水洗槽６４ｃの上方には、露光済みのシート体を各槽内に搬送するローラ６６ａが設けられている。
【００４５】
現像槽６４ａには現像液が、定着漂白槽６４ｂには定着漂白液が所定量貯留されている。また、第１水洗槽６４ｃ、第２水洗槽６４ｄ、第３水洗槽６４ｅおよび第４水洗槽６４ｆには、所定量の水洗水が貯留されている。
現像槽６４ａおよび定着漂白槽６４ｂの内部には、シート体を槽内で略Ｕ字状に搬送する複数のローラからなる搬送装置６６が設けられている。
【００４６】
また、第１水洗槽６４ｃと第２水洗槽６４ｄとの間の隔壁（図示せず）、第２水洗槽６４ｄと第３水洗槽６４ｅとの間の隔壁（図示せず）、第３水洗槽６４ｅと第４水洗槽６４ｆとの間の隔壁（図示せず）には、各々シート体の通過を許容し、液の通過を阻止可能な感光材料通路部材（図示せず）が設けられている。この感光材料通路部材は、ブレード（図せず）が設けられており、シート体の通過後、ブレードにより液の通過が阻止される。
【００４７】
このプロセサ６０においては、現像槽６４ａの現像液に浸漬されたシート体は、その後、定着漂白槽６４ｂの定着液に浸漬されて第１水洗槽６４ｃに搬送される。なお、本実施例では、シート体は、記録面（乳剤面）を上側にし、非記録面を下側にして予め定められた搬送速度で搬送される。
【００４８】
第１水洗槽６４ｃに送り込まれたシート体は、第１水洗槽６４ｃに貯留されている水洗水によって水洗される。この第１水洗槽６４ｃで水洗されたシート体は、第２水洗槽６４ｄへ向けて搬送され、感光材料通路部材（図示せず）を通過して第２水洗槽６４ｄへ搬入される。
以後、シート体は、第２水洗槽６４ｄ、第３水洗槽６４ｅおよび第４水洗槽６４ｆの各水洗水によって水洗され、挟持ローラ対６８ａによって乾燥処理部７０に搬送される。この乾燥処理部７０でシート体は乾燥される。
【００４９】
次に、乾燥処理部７０について説明する。乾燥処理部７０は、現像処理されたシート体を乾燥するものである。
この乾燥処理部７０には、例えば、ヒータ（図示せず）および送風機（図示せず）が設けられており、このヒータにより加熱された空気を送風機で、温風としてシート体に吹き付けることにより、現像処理されたシート体を乾燥させる。
【００５０】
乾燥処理部７０に搬送部７２が接続されており、搬送部７２にはパッカー３２が接続されている。搬送部７２は、パッカー３２に搬送する写真プリントを選別するものである。
この搬送部７２は、第１の搬送路７４と、第２の搬送路７６とを有する。第２の搬送路７６は、出口にトレー７８が設けられており、パッカー３２に搬送されない大きさの写真プリントをトレー７８上に排出させるものである。
また、搬送部７２においては、パッカー３２により梱包されるものは、第１の搬送部７６に搬送される。なお、搬送部７２による写真プリントの選別は、制御部５０に入力された注文情報に基づいてなされる。
【００５１】
本実施例においては、パッカー３２の入口近傍に、スイッチバック部８０が設けられている。
図３に示すように、スイッチバック部８０は、インデックスプリント１２０またはオーダープリント１３０の表裏を反転させるものであり、ガイド８２と、引込部８６とを有するものである。
【００５２】
ガイド８２は、反転させるインデックスプリント１２０またはオーダープリント１３０を搬送路Ｄから引込部８６に案内するものである。ガイド８２は、搬送路Ｄの上方に回転軸８４を介してα方向に揺動可能に設けられている。
【００５３】
引込部８６は、引込ローラ対８８ａ、８８ｂと、検出センサ８９とを有するものである。
検出センサ８９は、例えば、遮光によって物体の有無を検出する光センサであり、発光素子８９ａと受光素子８９ｂとが対になって構成されるものである。
検出センサ８９によるインデックスプリント１２０またはオーダープリント１３０の検出結果に応じて、ガイド８２、および引込ローラ対８８ａ、８８ｂが制御される。
【００５４】
本実施例においては、表裏反転させるインデックスプリント１２０またはオーダープリント１３０が搬送された場合、ガイド８２は、先端部８２ａを引込ローラ対８８ａ、８８ｂに向けて下げる。そして、引込ローラ対８８ａ、８８ｂを回転させる。
【００５５】
インデックスプリント１２０またはオーダープリント１３０がガイド８２により案内されて、引込ローラ対８８ａ、８８ｂに引き込まれ、検出センサ８９に検出されると、ガイド８２が、その先端部８２ａを搬送路Ｄによりも上方に位置するように揺動されるとともに、引込ローラ対８８ａ、８８ｂが逆回転で回転させて、引込部８６からインデックスプリント１２０またはオーダープリント１３０を排出する。これにより、インデックスプリント１２０またはオーダープリント１３０が表裏反転される。そして、ガイド８２により、パッカー３２に、表裏反転された状態で搬送される。
【００５６】
本実施例のスイッチバック部８０は、表裏反転した場合、搬送方向に対しても像を反転させてしまう。このため、スイッチバック部８０により表裏反転させるインデックスプリント１２０またはオーダープリント１３０は、予め搬送方向に対して像を反転させて記録することが好ましい。
【００５７】
図４（ａ）に示すように、パッカー３２は、インデックスプリントの画像記録面を外側に、オーダープリントの料金記録面を外側にして、インデックスプリントとオーダープリントとで１オーダ分の写真プリントを挟み込んで積層してなる積層体を少なくとも一部が透明な袋に梱包するものである。このパッカー３２は、梱包シート供給部９０と、梱包部９４と、搬送ローラ対９６ａ、９６ｂと、写真パック取出部９８と、ストック部１０４と、ガス供給部１０８とを有する。
【００５８】
梱包シート供給部９０は、インデックスプリント１２０、１オーダ分の写真プリントＰおよびオーダープリント１３０を積層してなる積層体Ｓ（図５（ａ）参照）を、まとめて梱包する梱包用シート１１０を供給するものであり、長尺の梱包用シート１１０が巻回された供給ローラ９２ａと、梱包用シート１１０を梱包部９４に送り出す搬出ローラ９２ｂとが設けられている。
【００５９】
この梱包用シート１１０は、図４（ｂ）に示すように、略筒状に形成されたものであり、その表面１１０ａには、長さ方向に一定の間隔ｔで、切込み１１２が形成されている。梱包用シート１１０は、透明なものであり、例えば、ポリプロピレンにより形成され、例えば、厚さが５０μｍである。
【００６０】
梱包部９４は、インデックスプリント１２０、１オーダ分の写真プリントＰ、およびオーダープリント１３０が収納された写真パック１１４を形成するものであり、梱包用シート１１０をインデックスプリント１２０、写真プリントＰ、およびオーダープリント１３０が収納された状態でシールするとともに、梱包用シート１１０のシール部１１６を梱包用シート１１０の長手方向に対して直交する方向で切断するものである。
【００６１】
梱包部９４は、シールカット部１００、開口手段１０２、およびガス供給部１０８を有するものである。
シールカット部１００は、梱包用シート１１０をシールするとともに、梱包用シート１１０のシール部１１６を、梱包用シート１１０の長手方向に対して直交する方向に切断するものである。このシールカット部１００は、梱包用シート１１０の表面１１０ａに対して垂直な方向に接離可能な１対のヒータ部１００ａ、１００ｂを有するヒートシーラ（図示せず）およびカッタ（図示せず）を備える。
【００６２】
開口手段１０２は、梱包用シート１１０の切込み１１２の部分を広げ、開口部１１２ａを形成するものである。この開口手段１０２には、例えば、吸盤（図示せず）と、この吸盤の移動手段（図示せず）とを有するものが用いられる。この吸盤を梱包用シート１１０の切込み１１２下方の表面１１０ａに吸着させ、移動手段により吸盤を移動させて、梱包用シート１１０に開口部１１２ａを形成する。
【００６３】
ガス供給部１０８は、梱包用シート１１０に開口部１１２ａを形成するものであり、例えば、ガスボンベ、またはコンプレッサーである。このガス供給部１０８には、ノズル１０８ａが設けられている。このノズル１０８ａは、搬送ローラ９２により搬送された際における梱包用シート１１０の切込み１１２の近傍に設けられている。開口手段１０２により切込み１１２が開口された場合、ガス供給部１０８により開口部１１２ａに、例えば、空気が吹き込まれ、梱包用シート１１０が膨らまされる。
【００６４】
搬送ローラ対９６ａ、９６ｂは、梱包部９４の下方に設けられ、梱包用シート１１０を搬送するものであり、写真パック１１４を写真パック取出部９８に排出するものである。この搬送ローラ対９６ａ、９６ｂは梱包用シート１１０の表面１１０ａに対して垂直な方向に接離可能なものである。
【００６５】
写真パック取出部９８は、片面画像形成装置１６により形成された写真パック１１４を取り出すところである。搬送ローラ対９６ｂの下方に板９８ａが斜めに傾けられて設けられている。
【００６６】
ストック部１０４は、図５（ａ）に示すように、インデックスプリント１２０の画像記録面１２０ａを外側に、オーダープリント１３０の記録面（料金記録面）１３０ａを外側にして、インデックスプリント１２０とオーダープリント１３０とで１オーダ分の写真プリントＰを挟み込んで積層してなる積層体Ｓが保持されるものである。このストック部１０４は、梱包部９４に対して傾斜して設けられている。また、ストック部１０４には、積層体Ｓが梱包部９４に向かって移動しないように保持するストッパ１０６が設けられている。
【００６７】
本実施例の片面画像形成装置１６においては、画像記録面が上になるため、一番最初にプリントされたインデックスプリント１２０の記録面１２０ａまたはオーダープリント１３０の記録面１３０ａを外側に向けるために、スイッチバック部８０で反転させて、ストック部１０４に搬送する。それ以外のものについては、順次ストック部１０４に搬送して、１オーダ分の写真プリントＰ、およびオーダープリントまたはインデックスプリントを順次画像記録面を上にして積層させる。これにより、ストック部１０４においては、下から、例えば、オーダープリント１３０、１オーダ分の写真プリントＰおよびインデックスプリント１２０の順で積層される。この場合、インデックスプリント１２０の画像記録面１２０ａは、外側に向けられている。また、オーダープリント１３０の記録面１３０ａも外側に向けられている。すなわち、インデックスプリント１２０の画像記録面１２０ａおよびオーダープリント１３０の記録面１３０ａは、互いに反対向きになっている。
【００６８】
本実施例においては、図５（ａ）に示すように、例えば、オーダープリント１３０の上に１オーダ分の写真プリントＰが載置され、一番上にインデックスプリント１２０が載置された積層体Ｓの状態で、ストッパ１０６を解除することにより、積層体Ｓがストック部１０４から開口部１１２ａを経て梱包用シート１１０の内部に収納される。
【００６９】
ここで、本実施例の片面プリンタ３０は、パッカー３２に搬送されるときには、写真プリントＰの画像記録面は、上側である。また、インデックスプリント１２０の画像記録面１２０ａおよびオーダープリント１３０の記録面１３０ａも上側である。
このため、１オーダ分でプリントされたうち、一番最初にプリントされるインデックスプリント１２０またはオーダープリント１３０のいずれかをスイッチバック部８０により反転させる。これにより、インデックスプリント１２０およびオーダープリント１３０の各画像記録面１２０ａ、記録面１３０ａを外側に向けて、写真プリントＰを挟んだ状態（積層体Ｓ）でストック部１０４に集積することができる。
【００７０】
次に、本実施例のパッカー３２の動作について説明する。
なお、ストック部１０４には、既に積層体Ｓが貯留されており、ストッパ１０６により止められている。
【００７１】
パッカー３２においては、先ず、梱包用シート１１０を梱包部９４に供給し、シールカット部１００により写真パック１１４の底となる部分にシール部１１６を形成する。
次に、搬送ローラ対９６ａ、９６ｂにより梱包用シート１１０を、その切込み１１２が、開口手段１０２により広げられることができる位置まで搬送する。
【００７２】
次に、開口手段１０２により、梱包用シート１１０の切込み１１２の部分を広げ、開口部１１２ａを形成する。
次に、開口部１１２ａにガス供給部１０８により、例えば、空気を吹き込んで梱包用シート１１０を膨らませる。
【００７３】
次に、ストック部１０４に積層体Ｓが集積された後、ストッパ１０６を解除して、積層体Ｓを、梱包用シート１１０の開口部１１２ａからその内部に収納する。
次に、搬送ローラ対９６ａ、９６ｂにより梱包用シート１１０を、その切込み１１２がシールカット部１００の位置にくるまで搬送する。
【００７４】
次に、シールカット部１００により、切込み１１２をシールし、シール部１１６を形成するとともに、シール部１１６をカットする。これにより、写真パック１１４が作製される。
次に、搬送ローラ対９６ａ、９６ｂにより写真パック１１４を写真パック取出部９８に搬送する。これにより、写真パック取出部９８から写真パック１１４を取り出すことができる。
【００７５】
本実施例の写真パック１１４は、図５（ｂ）に示すように、インデックスプリント１２０の画像記録面１２０ａを外側に、オーダープリント１３０の記録面１３０ａを外側にして、インデックスプリント１２０とオーダープリント１３０とで１オーダ分の写真プリントＰを挟み込んで積層してなる積層体Ｓを、透明の梱包用シート１１０により形成された袋により収納されたものである。このため、インデックスプリント１２０の画像記録面１２０ａおよびオーダープリント１３０の記録面１３０ａのいずれもが、外部から識別することができる。これにより、シールされた写真パック１１４を開封することなく、インデックスプリント１２０の画像記録面１２０ａから写真プリントＰの中身を確認することができ、オーダープリント１３０の記録面１３０ａの内容から、１オーダ分の写真プリントの料金を確認することができ、さらには、顧客および注文内容を確認することができる。
【００７６】
ここで、図６（ａ）に示すように、インデックスプリント１２０は、写真パック１１４に収納された１オーダ分の写真プリントＰの内容を把握するものである。このインデックスプリント１２０は、画像記録面１２０ａに、写真パック１１４に収納される１オーダ分の各写真プリントＰの全ての各画像が縮小されたインデックス画像１２２が、例えば、撮影順に並べられて記録されているものである。
なお、インデックスプリント１２０におけるインデックス画像１２２の配置方法は、特に限定されるものではない。例えば、人物、または風景などの各シーン毎に分類して、インデックス画像１２２を配置してもよい。
【００７７】
オーダープリント１３０は、プリント注文された少なくとも１オーダ分の写真プリントＰの料金が記録されたものである。図６（ｂ）に示すように、本実施例のオーダープリント１３０は、例えば、タイトル１３２、注文情報データ１３４およびバーコード１３６が記録されるものであり、これらは、所定のフォーマットに則って記録されるものである。
【００７８】
本実施例のオーダープリント１３０においては、１オーダ分の写真プリントＰの料金以外にも、例えば、注文情報データ１３４として、例えば、顧客の電話番号１３４ｄ、顧客の氏名１３４ｅ、および顧客の住所１３４ｆの顧客の情報が記録面１３０ａの左側に記録されている。また、記録面１３０ａの左側には、注文時に取得された受付番号１３４ａ、受付日時１３４ｂおよび顧客ＩＤ１３４ｃも注文情報データとして記録されている。さらに、１オーダ分の写真プリントＰの料金に対応付けられたバーコード１３６も記録されている。すなわち、写真プリントＰの料金がバーコードで記録されている。
【００７９】
さらに、プリント処理内容（注文内容）が記録面１３０ａの右側に表１３８にまとめられて記録されている。表１３８においては、画像ファイル名の欄１３８ａ、小計の欄１３８ｂ、１４０ｂ、枚数の欄１４０ａ、プリント料金の欄１４０ｃが設けられており、それぞれ欄には、注文情報データおよび料金データに応じて画像ファイル名、枚数の数値および料金の金額が記録されている。
【００８０】
また、本実施例のオーダープリント１３０においては、これら以外にもフイルムＩＤ番号、コマ番号、プリントサイズ、ラボ店ＩＤ番号、プリント日時などの情報を含むものであってもよい。オーダープリント１３０に記録される内容については、オーダープリント１３０のフォーマットを複数用意しておき、受付機１２ａ、１２ｂから入力される注文情報データに対応して適宜変更してもよく、そのフォーマットについても特に限定されるものではない。
さらに、本実施例のオーダープリント１３０においては、注文情報データの記録形態は、文字、数字、または記号のほか、１次元または２次元のバーコードとしたものでもよい。また、オーダープリント１３０には、注文情報データとして、受付番号、受付日時および顧客ＩＤプリントなどの注文時に取得された情報以外にも、プリント処理過程で生成された処理装置ＩＤ番号、施した処理の内容を示す記号等が記録されてもよい。
【００８１】
本実施例の片面画像形成装置１６によれば、反転機構（スイッチバック部８０）を有するパッカー３２を設けることにより、記録媒体の片面にしか画像形成ができなくとも、インデックスプリント１２０およびオーダープリント１３０をその画像記録面１２０ａ、記録面１３０ａを外側に向けた状態にして、１オーダ分の写真プリントＰを挟み込んで、梱包することができる。これにより、写真パック１１４の外側からでも、インデックスプリント１２０およびオーダープリント１３０を外側から、これらの内容を識別することができる。このため、写真パック１１４を開封しなくとも、オーダープリント１３０により、料金および枚数などの注文内容を確認することができ、さらにはインデックスプリント１２０により、プリント注文した写真プリントＰの中身を確認することができる。
【００８２】
なお、梱包用シート１１０は、インデックスプリント１２０の画像記録面１２０ａおよびオーダープリント１３０の記録面１３０ａが外側から識別できればよく、全て透明である必要はない。このため、インデックスプリント１２０の画像記録面１２０ａおよびオーダープリント１３０の記録面１３０ａが外側から識別できれるように、画像記録面１２０ａ、記録面１３０ａに相当する位置が透明なものであればよく、すなわち、少なくとも一部が透明であればよい。
【００８３】
次に、両面画像形成装置１８について説明する。
図１に示すように、両面画像形成装置１８は、両面プリンタ３４、およびパッカー３６を有している。
図７は、本発明の実施例に係る写真パックを作製する両面画像形成装置を示す模式的断面図である。なお、図７に示す両面画像形成装置１８は、図２に示す片面画像形成装置１６と同一構成物には、同一符号を付して、その詳細な説明は省略する。
【００８４】
図７に示すように、本実施例の両面プリンタ３４は、電子写真方式のプリンタであり、記録媒体Ｍの両面に画像記録ができるものである。この両面プリンタ３４は、供給部４２、第１像形成部（画像記録部）１５０ａ、第２像形成部（画像記録部）１５０ｂ、２次定着部１５２および制御部５０ａを有するものである。なお、供給部４２は、供給する記録媒体Ｍが感光材料Ａではない点が異なり、それ以外の構成は片面プリンタ３０のものと同じ構成である。
【００８５】
また、両面画像形成装置１８のパッカー３６は、片面画像形成装置１６のパッカー３２に比して、スイッチバック部８０を有するものでない点が異なり、それ以外の構成は片面画像形成装置１６のパッカー３２と同様の構成であるため、その詳細な説明は省略する。
【００８６】
第１像形成部１５０ａ、および第２像形成部１５０ｂの２つ像形成部は、記録媒体Ｍの搬送路を挟んで設けられるものである。これらの第１像形成部１５０ａ、および第２像形成部１５０ｂは、モノクロまたはカラーのトナー像を記録媒体Ｍに形成するものであり、特に限定されるものではない。
２次定着部１５２は、第１像形成部１５０ａ、および第２像形成部１５０ｂにより形成されたトナー像を記録媒体Ｍに定着させるものである。
【００８７】
本実施例の両面プリンタ３４により、記録媒体Ｍの両面またはいずれかの片面に像を形成することができる。このため、写真パック１１４を作製する際に、インデックスプリント１２０およびオーダープリント１３０のいずれか一方を反転する必要がない。これにより、反転機構が不要になり、パッカー３６の機構を簡素化することができる。
また、本実施例の両面プリンタ３４においては、インデックスプリント１２０またはオーダープリント１３０は、第１像形成部１５０ａまたは第２像形成部１５０ｂの互いに異なる像形成部でインデックスプリント１２０の画像記録面１２０ａおよびオーダープリント１３０の記録面１３０ａを記録する。
【００８８】
本実施例の両面画像形成装置１８においても、パッカー３６のストック部の構成は、片面画像形成装置１６のパッカー３２と同様の構成である。このため、一番最初にプリントされるインデックスプリント１２０またはオーダープリント１３０のいずれかは、記録媒体Ｍにおける写真プリントＰの画像形成面とは、反対側の面に形成する。
これにより、ストック部（図示せず）に積層体Ｓとして集積された場合、インデックスプリント１２０およびオーダープリント１３０をその画像記録面１２０ａ、記録面１３０ａを外側に向けて、写真プリントＰを挟み込んだ状態とすることができる。
次に、パッカー３６により、写真パック１１４を作製するが、これは、片面画像形成装置１６のパッカー３２と同様の工程であるため、その詳細な説明は省略する。
このようにして、片面画像形成装置１６により作製される写真パック１１４と同様の写真パックを作製することができる。
【００８９】
次に、本実施例のプリントシステム１０による写真パック１１４の形成方法について説明する。
先ず、顧客により、注文情報データが受付機１２ａに入力される。このとき、例えば、注文情報データと同時にプリントする画像の画像データも受け付ける。
そして、注文が確定されると、受付機１２ａにより、注文情報データに受付番号、受付日時、および顧客ＩＤを付与して、プリント注文された画像データとともに受付機１２ａからオーダーコントローラ１４に出力される。また、注文が確定されると、受付機１２ａにより引換券が発行される。
【００９０】
次に、オーダーコントローラ１４は、注文情報データと、既に入力されている他の注文情報データの処理順が記録されているオーダテーブルとの内容に基づいて、納期および生産性の少なくとも一方を考慮して、注文情報データの処理順を決定し、オーダテーブルを更新する。
【００９１】
また、オーダーコントローラ１４により、注文情報データに基づいて１オーダ分の写真プリントの料金が計算される。この計算された１オーダ分の写真プリントの料金の料金データが、注文情報データとして管理されるとともに、決済機２０に出力される。
【００９２】
次に、オーダーコントローラ１４では、注文されたプリントする画像データからプリント用画像データが作製される。また、プリント用画像データから、１オーダ分の各画像が縮小されてまとめて記録されるインデックス用画像データが作製される。さらに、注文情報データおよび料金データに基づいて、オーダープリントのフォーマットに則ったオーダープリント用画像データが作製される。これらの作製されたプリント用画像データ、インデックス用画像データおよびオーダープリント用画像データは、１つにまとめられて１件分のプリントオーダ情報とされる。
【００９３】
次に、オーダーコントローラ１４により、プリントオーダ情報が片面画像形成装置１６または両面画像形成装置１８に出力される。
そして、片面画像形成装置１６または両面画像形成装置１８は、オーダーコントローラ１４から出力されたプリントオーダ情報に基づいてプリントを作製し、パッカー３２、３６により１件分毎に透明な袋に、インデックスプリント１２０およびオーダープリント１３０を各画像記録面１２０ａ、記録面１３０ａを外側に向けた状態にして、写真プリントＰを挟み込んだ状態で梱包する。このようにして、写真パック１１４が作製される。
【００９４】
本実施例においては、例えば、決済機２０が設置されているところで、引換券と引き換えに写真パック１１４が顧客に渡される。オーダープリント１３０を確認して料金を支払う。このとき、オーダープリント１３０に、１オーダ分の写真プリントの料金に対応付けられたバーコード１３６が記録されているため、このバーコード１３６を読み取って、１オーダ分の写真プリントの料金を清算してもよい。
【００９５】
また、本実施例においては、顧客の注文時に、受け取る画像データとしては、例えば、撮影済みのフイルムであってもよい。この撮影済みのフイルムを、現像し、現像済みのフイルムをフイルムスキャナーで読み取り、画像データを作製する。この場合においても、本実施例と同様の効果を得ることができる。但し、フイルムについては、別途顧客に返却するか、または返却をしなくてもよい許可を顧客に取る必要がある。
【００９６】
なお、本実施例の片面画像記録装置１６においては、反転機構（スイッチバック部８０）を設けた構成としたが、本発明は、これに限定されるものではなく、露光ユニット３２により記録される面とは、反対側の面に画像を記録するインクジェットヘッド２００を設けるようにしてもよい。この場合、スイッチバック部８０は、不要となる。しかしながら、片面画像記録装置１６においては、画質を考慮すると、画像が記録される面と同じ面に記録することが好ましい。
また、本実施例においては、片面画像記録装置１６および両面画像記録装置１８の画像記録方式は、特に限定されるものではなく、銀塩方式、電子写真方式、およびインクジェット方式以外にも、熱溶融方式など適宜要求される画質、またはプリント形態に応じた方式のものを用いることができる。
【００９７】
以上、本発明の写真パックおよびプリントシステムについて説明したが、本発明は上述の実施形態に限定はされず、本発明の要旨を逸脱しない範囲において、各種の改良または変更を行ってもよいのは、もちろんである。
【図面の簡単な説明】
【００９８】
【図１】本発明の写真パックを作製するプリントシステムを示す模式図である。
【図２】本発明の実施例に係る写真パックを作製する片面画像形成装置を示す模式的断面図である。
【図３】本実施例の片面画像形成装置のスイッチバック部を示す模式図である。
【図４】（ａ）は、本実施例の片面画像形成装置のパッカーを示す模式図であり、（ｂ）は、本実施例のパッカーに用いられる梱包用シートを示す模式図である。
【図５】（ａ）は、インデックスプリント、写真プリントおよびオーダープリントにより構成される積層体を示す模式的斜視図であり、（ｂ）は、本実施例の写真パックを示す模式的側断面図である。
【図６】（ａ）は、本実施例のインデックスプリントを示す模式図であり、（ｂ）は、本実施例のオーダープリントを示す模式図である。
【図７】本発明の実施例に係る写真パックを作製する両面画像形成装置を示す模式的断面図である。
【符号の説明】
【００９９】
１０  プリントシステム
１２ａ、１２ｂ  受付機
１４  オーダーコントローラ
１６  片面画像形成装置
１８  両面画像形成装置
２０  決済機
３０  片面プリンタ
３２、３６  パッカー
４０  片面プリンタ部
４２  供給部
４８  裏印字部
５０、５０ａ  制御部
５２  露光ユニット
６０  プロセサ
６２  現像処理部
７０  乾燥処理部
７２  搬送部
８０  スイッチバック部
８２  ガイド
８６  引込部
８６  検出センサ
９０  梱包シート供給部
９４  梱包部
９８  写真パック取出部
１００  シールカット部
１０２  開口手段
１０４  ストック部
１０６  ストッパ
１０８  ガス供給部
１１０  梱包用シート
１１２  切込み
１１２ａ  開口部
１１４  写真パック
１１６  シール部
１２０  インデックスプリント
１２０ａ  画像記録面
１３０  オーダープリント
１３０ａ  記録面
１５０ａ  第１像形成部
１５０ｂ  第２像形成部
Ａ  感光材料
Ｌ  光ビーム
Ｍ  記録媒体
Ｐ  写真プリント
ｒ  露光位置
Ｓ  積層体
【図１】
2006171417.tif 000003
【図２】
2006171417.tif 000004
【図３】
2006171417.tif 000005
【図４】
2006171417.tif 000006
【図５】
2006171417.tif 000007
【図６】
2006171417.tif 000008
【図７】
2006171417.tif 000009